Podtech/llm-jp-corpus-v4-ja_patent huggingface dataset:
(57)【要約】【課題】予防的および治療的ワクチン接種のためのワクチンとして好適な組み換え的に製造されたタンパク質並びにＶＬＰｓ、並びにこれらのタンパク質およびＶＬＰｓの製造方法を利用可能にすること。【解決手段】ウイルス構造タンパク質Ｌ１および／またはＬ２の発現後に形成される組み換え的に製造されたパピローマウイルス様粒子であって、Ｌ１および／またはＬ２タンパク質の１個または複数個の部分が欠失しており、それによりウイルス様粒子を形成する能力が残存していることを特徴とする、上記のパピローマウイルス様粒子。【選択図】なし【特許請求の範囲】
【請求項１】
明細書に記載の発明。
【発明の詳細な説明】
【技術分野】
【０００１】
【数１】
2012010713.tif 000002
【背景技術】
【０００２】
【数２】
2012010713.tif 000003
【０００３】
【数３】
2012010713.tif 000004
【０００４】
【数４】
2012010713.tif 000005
【０００５】
【数５】
2012010713.tif 000006
【発明の概要】
【発明が解決しようとする課題】
【０００６】
【数６】
2012010713.tif 000007
【課題を解決するための手段】
【０００７】
【数７】
2012010713.tif 000008
【０００８】
【数８】
2012010713.tif 000009
【０００９】
【数９】
2012010713.tif 000010
【００１０】
【数１０】
2012010713.tif 000011
【００１１】
【数１１】
2012010713.tif 000012
【００１２】
【数１２】
2012010713.tif 000013
【００１３】
【数１３】
2012010713.tif 000014
【発明を実施するための形態】
【００１４】
【数１４】
2012010713.tif 000015
【００１５】
【数１５】
2012010713.tif 000016
【００１６】
【数１６】
2012010713.tif 000017
【００１７】
【数１７】
2012010713.tif 000018
【００１８】
【数１８】
2012010713.tif 000019
【００１９】
【数１９】
2012010713.tif 000020
【００２０】
【数２０】
2012010713.tif 000021
【００２１】
【数２１】
2012010713.tif 000022
【００２２】
【数２２】
2012010713.tif 000023
【００２３】
【数２３】
2012010713.tif 000024
(57)【要約】【課題】砂が付きにくいとともに、付着したとしても砂を容易に払い落とすことができるビーチタオルを提供する。【解決手段】ともにフィラメントを高密度に織成又は編成して形成され吸水加工を施された表層１及び裏層２と、表層１と裏層２との間に挟まれ吸水性素材により構成された内層３とにより構成してある。【選択図】図１
2012010832.tif 000002
【特許請求の範囲】
【請求項１】
ともにフィラメントを高密度に織成又は編成して形成され吸水加工を施された表層及び裏層と、表層と裏層との間に挟まれ吸水性素材により構成された内層とにより構成したことを特徴とするビーチタオル。
【請求項２】
表層及び／又は裏層をポリエステルのフィラメントにより構成したことを特徴とする請求項１記載のビーチタオル。
【請求項３】
表層及び／又は裏層をナイロンのフィラメントにより構成したことを特徴とする請求項１記載のビーチタオル。
【請求項４】
内層を綿素材により構成したことを特徴とする請求項１、２又は３記載のビーチタオル。
【請求項５】
内層をレーヨン素材により構成したことを特徴とする請求項１、２又は３記載のビーチタオル。
【発明の詳細な説明】
【技術分野】
【０００１】
本発明は、砂の付きにくいビーチタオルに関するものである。
【背景技術】
【０００２】
海浜においては、熱砂から身を守るとともに、体に砂が付着しないように、一般的にビーチタオルを敷きつめて使用されている。
【０００３】
ところで、当然のことながら、砂上に敷きつめたビーチタオルには砂が付着するが、この付着した砂を払い落とすのは難儀な作業である。特に体が濡れているときには、水分がビーチタオルに滲み込むので、ビーチタオルに砂がより付着しやすくなり、この付着した砂を払い落とすのは容易ではない。
【０００４】
この問題点を鑑みて、特許文献１において、砂上に置いて使用するためのマットをメッシュ形状の第１層と第２層との２層構造とし、第１層及び第２層は砂が通過するのを許容するようになっているとともに、第１層と第２層との開口が実質的に重ならないように配置されており、第１層と第２層との間に砂を保持するようにしたものが開示されている。
【０００５】
しかし、特許文献１に開示されたマットは、第１層と第２層との間に砂を保持することにより体に砂が付着しないようにしてはいるが、使用後において、第１層と第２層との間に保持された砂を払い落とすのは簡単ではない。
【先行技術文献】
【特許文献】
【０００６】
【特許文献１】特開２００８−２５９８７１号公報
【発明の概要】
【発明が解決しようとする課題】
【０００７】
解決しようとする問題点は、ビーチタオルにおいて、砂が付きにくいと共に、たとい付着したとしても、砂を容易に払い落とすことができるようにした点である。
【課題を解決するための手段】
【０００８】
本発明は、砂が付着しにくく、また、付着したとしても砂を容易に払い落とせるようにするため、表層及び裏層を高密度のフィラメントで構成するとともに、内層を吸水性素材で構成したことを最も主要な特徴とする。
【発明の効果】
【０００９】
本発明のビーチタオルは、吸水性をよくしてあるので、水を吸収しやすい。
しかも、表層及び裏層を高密度に織成又は編成して形成してあるので、砂が表層又は裏層に付着しにくいという利点がある。
【図面の簡単な説明】
【００１０】
【図１】図１は本発明に係るビーチタオルの断面図である。
【発明を実施するための形態】
【００１１】
砂が付着しにくく、また、付着したとしても、砂を容易に払い落とせるようにするという目的を、表層及び裏層を高密度のフィラメントで構成するとともに、内層を吸水性素材で構成することにより実現した。
【実施例１】
【００１２】
図１は、本発明に係るビーチタオルの１実施例の断面図であって、１は表層、２は裏層であり、３は表層１と裏層２との間に挟まれた内層である。
ビーチタオルは、表層１、内層３、裏層２の３層で構成されており、砂と接触する面は、表層１でも裏層３でもよい。
【００１３】
表層１と裏層２は、ともにフィラメントを高密度に織成又は編成して形成してある。
フィラメントの素材としては、ポリエステル又はナイロン繊維を使用すればよい。
また、フィラメントには、水分を吸収しやすくするために、吸水加工を施すのがよい。
【００１４】
内層３は、綿又はレーヨン等の吸水性の良い素材により構成されており、クッション性を備えている。
この内層３により、ビーチタオルの吸水性をアップさせることができる。
【００１５】
本発明に係るビーチタオルは、表層１と裏層２とのフィラメントに吸水加工を施すとともに、内層３が吸水性のよい素材により構成されているので、水を吸収しやすく構成してある。
そして、表層１と裏層２とのフィラメントを高密度に織成又は編成して形成してあるので、砂が表層１又は裏層２に付着しにくいという効果を有する。
【００１６】
ビーチタオルは、表層１、内層３、裏層２を重ね合わせた周縁部を縫着することにより形成されているが、縫い目から砂が入りにくくするため、縫い目を樹脂によりコーティングしてもよい。
【産業上の利用可能性】
【００１７】
本発明に係るビーチタオルは、砂が付着しにくく、海浜で使用できるのは勿論、吸水性を有するので、バスタオルとしても使用できる。
【符号の説明】
【００１８】
１    表層
２    裏層
３    内層
【図１】
2012010832.tif 000003
(57)【要約】      （修正有）【課題】動物、爬虫類のペットが遊びながら運動し、なお住処として使用する装置を提供する。【解決手段】天板部１０の開口部１１に蓋１２を設け内部を暗くしたり明るくしたりして、動物、爬虫類などのペットが住処として使用でき、遊具８を利用しながら運動することによりストレスから解放され、架台の下部にトイレ等を設置する空間があり、室内での飼育環境が整っている美観上デザイン性に優れたかくれんぼハウスである。【選択図】図１
2012010689.tif 000002
【特許請求の範囲】
【請求項１】
丸筒、角筒の天板部において開口部を有し、開口部に蓋を設け内部を暗くしたり明るくしたり又開口部より動物、爬虫類等の出し入れが可能な構造と、天板の部分に任意の場所に遊具を取り付ける箇所を複数有することを特徴とするかくれんぼハウス。
【請求項２】
前記かくれんぼハウスは丸筒、角筒において内部の空洞に遊具を設置することにより、動物、爬虫類等が住処とし空洞内に設置した遊具を使用することによりストレスがない環境が生まれ天板部の蓋部が単独か、紐等で連結されているため、開口時は蓋部が遊具として使用される蓋部を有する構造を特徴とする請求項１乃記載のかくれんぼハウス。
【請求項３】
前記かくれんぼハウスは丸筒、角筒において台座部と本体下部の留具用穴を複数設け任意穴部にビス等で固定でき、なお任意の角度を選択できる構造を特徴とする請求項１乃至２記載のかくれんぼハウス。
【請求項４】
前記かくれんぼハウスは丸筒、角筒において本体部に任意の開口部を１か所以上、複数設け動物、爬虫類のペット等が自由に出入りできる構造を特徴とする請求項１乃至３記載のかくれんぼハウス。
【請求項５】
前記かくれんぼハウスは丸筒、角筒において本体内部の空洞部に遊具を取り付けることにより動物、爬虫類のペット等が遊具を使用することにより開口部まで自在に行動でき、自由に出入できることを特徴とする請求項１乃至４記載のかくれんぼハウス。
【請求項６】
前記かくれんぼハウスは下部に架台を有する構造を持ち、下部の部分にトイレ本体、水飲み置き場、食器等を置く機能を有しシステム化した使用もできる構造を特徴とする請求項１乃至５記載のかくれんぼハウス。
【発明の詳細な説明】
【技術分野】
【０００１】本発明は、猫の寝床と遊具に関するものである。
【背景技術】
【０００２】
【先行技術文献】
【特許文献】
【０００３】
【特許文献１】
【特許文献２】
【非特許文献】
【０００４】
【非特許文献１】
【非特許文献２】本発明は、犬、猫及び小動物、爬虫類の寝床と遊具、排出物処理設備を合体した構造で組み合わせが可能な機能を有するシステムハウスに関する。
【発明の概要】
【発明が解決しようとする課題】
【０００５】上記の問題を解決するために本発明のかくれんぼハウスはシステムの組み合わせにより、入口、出口、天板の開口部を有し、その天板の開口部に蓋をする機能を有し、動物、爬虫類のペットが任意で開閉でき自由に出入りができることを提供することを目的としている。
【問題を解決するための手段】
【０００６】上記の目的を達成するために本発明に係る蓋をすることにより動物・爬虫類のペットが暗い場所を好む環境を提供でき、また蓋を開口することにより、かくれんぼハウスの内部をすみずみまで観察できる。
【発明の効果】
【０００７】１．天板部に開口部を設けることにより、動物、爬虫類のペットが暗部を好む習性に安心して住処としての機能が確保され蓋の部分は遊具の機能を兼用できる。
２．本体と蓋部の留具は双方に複数の穴があり、任意の穴に固定することが選択できる構造。
【図面の簡単な説明】
【０００８】
【図１】断面図、本体組み込み図
【図２】断面図、架台にトイレ組み込み図
【発明を実施するための形態】
【０００９】
【実施例１】
【００１０】以下、添付図面を参照しながら、本発明の実施の形態を詳細に説明する。
【実施例２】
【００１１】図１においては、一体化したことにより寝床部、遊具、ステップ部、トイレ部、爪みがき部等のシステム的な使用が可能である。
図２においては架台を使用することにトイレ部、食器置き場等の設置場所が確保される。
【産業上の利用可能性】
【００１２】複合の機能を有す。
【符号の説明】
【００１３】  １、本体（丸筒・角筒）              １０、天板部
１ａ、本体底部                      １１、開口部
２、開口部（出入口）                １２、蓋部
３、電気コード取入れ部              １３、蓋ずれ防止部
４、自在出入口                      １４、蓋部の取っ手部
５、台座                            １５、遊具取り付け部
５ａ、台座かみ合わせ部              １６、蓋のひも取り付け部
６、台座留部穴（複数）角度変更可    １６ａ、ステップ部の蓋ひも取り付け部
６ａ、遊具取り付け穴                １７、遊具取り付け穴部
７、固定用ねじ                      ２０、架台本体部
８、遊具本体                        ２１、台座部
９、遊具ステップ                    ２２、架台空間部
３０、住処部                          ２３、トイレ
【図１】
2012010689.tif 000003
【図２】
2012010689.tif 000004
(57)【要約】      （修正有）【課題】犬などの散歩を楽しむ動物と飼い主及び同行者の負担を軽減する散歩用バッグを提供する。【解決手段】同行者の負担と安全性を考慮し、つり紐１は肩掛け又は斜めがけでき、紐１は老若男女適応できるよう長さ調整具２を備え、手荷物を減らすため本体入れ口５とポケット４を設け、汚れても取り外し洗うことができ、乾き易いメッシュ生地や、臭い対策に消臭生地を使用している汚物入れポケット８を備えている散歩用バッグである。【選択図】図１
2012010688.tif 000002
【特許請求の範囲】
【請求項１】
長い紐と短い紐の間に長さ調整具を設け、袋状本体に一体型ポケットを設け、本体両端に汚物用ポケットを付け外しする為の、付け外し具を設け、汚物用ポケット両端に本体バッグに付け外しする為の、付け外し具を設けた動物の散歩用バッグ。
【発明の詳細な説明】
【技術分野】
【０００１】  本発明は、犬などの散歩を楽しむ動物と飼い主及び同行者の負担を軽減する散歩用バッグである。
【背景技術】
【０００２】  従来、多くの方が片手に引き綱を持ち、片手に汚物入れ用手提げバッグや汚物取り用器具など携行する方が多かった。または、ビニール袋をポケットに携帯し帰りは汚物を手に提げて歩く姿が多くみられた。
【先行技術文献】
【０００３】
【発明の概要】
【発明が解決しようとする課題】
【０００４】  散歩は外を歩くため季節を問わず身軽に楽しく歩きたいが、雨や雪天候により傘と引き綱、汚物の袋など持たなくてはならなかった。寒い冬の日は手に汚物の袋を持つだけで指が冷たく辛い思いでした。
本発明は、以上の問題点を解決するためになされたものである。
【課題を解決する手段】
【０００５】  少しでも負担を軽くするため、つり紐は肩掛けや斜めがけ式で長さ調整仕様、本体は本体入れ口、ポケット、汚物用付け外しポケットを設けている。
以上の構成よりなる動物の散歩用バッグ。
【発明の効果】
【０００６】  引き綱と汚物など動物に関するものを、二種類以上持たなくてはならなかったが、汚物という一番持ちたく無い物を、楽に携行でき片手を空かせ、肩掛け紐やバッグに反射材、反射テープなど装着することにより、安全に散歩を楽しむことができるよう工夫されている。
【図面の簡単な説明】
【０００７】
【図１】本発明の斜視図
【図２】本発明の仕様状態を示す斜視図
【発明を実施するための形態】
【０００８】以下、本発明の実施の形態を説明する。
（イ）肩掛け紐（１）は長い紐と短い紐で長さ調整する為長さ調整具（２）を設ける。
（ロ）肩掛け紐（１）は袋状の本体バッグ（３）に縫いつけてあり本体前面にポケット（４）を設ける。
（ハ）袋状の本体バッグ（３）の両端に凹型の付け外し具（６）を設ける。
（ニ）本体バッグの両端の凹型付け外し具（６）に凸型付け外し具（７）の付いた汚物用ポケット（８）を合致させる。
本発明は以上のような構造である。
本発明を使用する時は、同行者が肩掛け紐（１）を、肩掛け又は斜めがけに掛け、肩掛け紐（１）の長さ調整具（２）を使い長さ調整をして使用する。
本体バッグ（３）に本体入れ口（５）から水筒、おやつ、手袋、携帯電話など、ポケット（４）に汚物取り用ビニール袋、ティッシュペーパーなど同行者が必要な物を入れ携行する。
本体両端の合致させる為の凹型付け外し具（６）に凸型付け外し具（７）の付いた汚物用ポケット（８）を合致させ、動物の汚物をビニール袋などで取り、汚物用ポケット（８）に入れ携行し持ち帰る。
【符号の説明】
【０００９】１  肩掛け紐、２  長さ調整具、３  本体バッグ、４  ポケット、５  本体入れ口、
６  凹型付け外し具、７  凸型付け外し具、８  汚物用ポケット
【図１】
2012010688.tif 000003
【図２】
2012010688.tif 000004
(57)【要約】【課題】沖縄県で大量に生産されるもずくが生ものの為、賞味期限、流通等の理由により限定的な地域でしか消費されなく経済効果が薄い。そこで、もずくの熱加工とパッケージ方法を工夫することにより賞味期限を延し、全国的に嗜好されているつくだ煮類として提供し、もずくに含まれるフコイダン等有用成分を手軽に取れることを課題とする。【解決手段】もずく１００グラムを０．１〜３センチ程度に切り揃え、調味液としてみりん（１〜５０グラム）、酒（１〜５０グラム）、醤油（１〜５０グラム）、砂糖（１〜３０グラム）、塩（１〜３０グラム）、かつおだし（１〜３０グラム）、昆布だし（１〜３０グラム）、増粘剤（１〜３０グラム）、アミノ酸等調味料（１〜３０グラム）、水（１〜１０００ｃｃ）を混合撹拌し５分〜６０分間水分が１〜５０グラムになるまで加熱加工し、網目のざるに移し湯切りすることを特徴とするもずくつくだ煮の製造方法。【選択図】図１
2012010691.tif 000002
【特許請求の範囲】
【請求項１】
もずく１００グラムを０．１〜３センチ程度に切り揃え、調味液としてみりん（１〜５０グラム）、酒（１〜５０グラム）、醤油（１〜５０グラム）、砂糖（１〜３０グラム）、塩（１〜３０グラム）、かつおだし（１〜３０グラム）、昆布だし（１〜３０グラム）、増粘剤（１〜３０グラム）、アミノ酸等調味料（１〜３０グラム）、水（１〜１０００ｃｃ）を混合撹拌し５分〜６０分間水分が１〜５０グラムになるまで加熱加工し、網目のざるに移し湯切りすることを特徴とするもずくつくだ煮の製造方法。
【請求項２】
請求項１に海苔（１〜１００グラム）、ハバネロ（１〜３０グラム）、明太子（１〜３０グラム）、山椒（１〜３０グラム）、柚子胡椒（１〜３０グラム）、豆板醤（１〜３０グラム）、酢（１〜３０グラム）、梅肉（１〜３０グラム）を１〜８種類混合する、ことを特徴とするもずくつくだ煮の製造方法。
【発明の詳細な説明】
【技術分野】
【０００１】この発明は、もずくをのりつくだ煮風とする製造方法に関する。
【背景技術】
【０００２】１）もずくの多くが酢の物として消費され、他の消費方法が模索されている。
２）生ものの為、賞味期限が短く、広域消費の拡大が困難。
３）もずくをのりつくだ煮風に製造する技術はなかった。
【先行技術文献】
【特許文献】
【０００３】
【特許文献１】特許公開２００６−１０１７２９
【発明の概要】
【発明が解決しようとする課題】
【０００４】しかしながら、以上の技術によれば、沖縄県で大量に生産されるもずくが生ものの為、賞味期限、流通等の理由により限定的な地域でしか消費されなく経済効果が薄い。そこで、この発明は、もずくの熱加工、パッケージ方法を工夫することにより賞味期限を延し、全国的に嗜好されているつくだ煮類として提供し、もずくに含まれるフコイダン等有用成分を手軽に取れることを課題とする。
【課題を解決するための手段】
【０００５】以上の課題を解決するために、第一発明は、もずく１００グラムを０．１〜３センチ程度に切り揃え、調味液としてみりん（１〜５０グラム）、酒（１〜５０グラム）、醤油（１〜５０グラム）、砂糖（１〜３０グラム）、塩（１〜３０グラム）、かつおだし（１〜３０グラム）、昆布だし（１〜３０グラム）、増粘剤（１〜３０グラム）、アミノ酸等調味料（１〜３０グラム）、水（１〜１０００ｃｃ）を混合撹拌し５分〜６０分間水分が１〜５０グラムになるまで加熱加工し、網目のざるに移し湯切りする。ふりかけ等で使用されているフィルム状の小袋へ封入し一人一食使い切りの１０〜５０ｇ程度の単位で５〜５０袋程度を販売単位のパッケージとする、ことを特徴とするもずくつくだ煮の製造方法である。【０００６】第二発明は、第一発明に海苔（１〜１００グラム）、ハバネロ（１〜３０グラム）、明太子（１〜３０グラム）、山椒（１〜３０グラム）、柚子胡椒（１〜３０グラム）、豆板醤（１〜３０グラム）、酢（１〜３０グラム）、梅肉（１〜３０グラム）を１〜８種類混合する、ことを特徴とするもずくつくだ煮の製造方法である。
【発明の効果】
【０００７】１）第一発明によれば、賞味期限の延長により広域流通が容易になり商圏の拡大が可能になる、新しいもずくつくだ煮である。
２）小袋パッケージにすることにより、瓶詰めを家族がお箸でつついて食するより衛生的である。
３）コンビニ等のおむすびの具として最適。
４）のり佃煮は子供から大人まで全国的な嗜好品であり選択肢がふえる。
５）フコイダン、食物繊維、ミネラル、ビタミン等有用成分を手軽に毎食摂取できる。
６）第二発明によれば、商品のバリエーションを広げることができる。
【図面の簡単な説明】
【０００８】
【図１】この発明の一実施形態を示す図である。
【発明を実施するための形態】
【０００９】以下本発明の実施例を具体的に説明する。なお、本発明の技術的範囲は、以下の実施例に限定されるものではない。
この発明の一実施形態を、図１に示す。
１）もずく１００ｇを１ｃｍ程度に切り揃える。
２）醤油（１２グラム）、みりん（１２グラム）、酒（１２グラム）、砂糖（２グラム）、塩（２グラム）、かつおだし（１０グラム）、こんぶだし（１０グラム）、水（６００ｃｃ）の調味液を作る。
３）１）、２）を混合し１５分間程度撹拌しながら１００度で加熱する。
４）３）を網目のざるに移し湯切りする。
５）４）を１０ｇ程度の単位で小袋へ封入し３０袋程度を販売単位のパッケージとする。
【図１】
2012010691.tif 000003
(57)【要約】【課題】簡単・安価な形態で効果的に利用できる焼却燃焼用容器を提供すること。【解決手段】焼却炉内で燃焼される焼却燃焼用容器であって、被燃焼物を収容する凹部１１を備える容器本体１０と、凹部１１の全面を密閉しない状態で覆うと共に圧着することで容易には離脱しないように閉塞する蓋２０とを具備する。この容器本体１０と蓋２０とは、被燃焼物を焼却するための燃焼時の熱量を有する。蓋２０が、容器本体１０の凹部１１の内周縁１１ａに内嵌状態で圧着される。【選択図】図１
2012078067.tif 000002
【特許請求の範囲】
【請求項１】
焼却炉や燃焼装置内で燃焼される焼却燃焼用容器であって、被燃焼物を収容する凹部を備える容器本体と、前記凹部の全面を密閉しない状態で覆うと共に圧着することで容易には離脱しないように閉塞する蓋とを具備し、前記被燃焼物を焼却するための燃焼時の熱量を有することを特徴とする焼却燃焼用容器。
【請求項２】
前記蓋が、前記容器本体の凹部の内周縁に内嵌状態で圧着されることを特徴とする請求項１記載の焼却燃焼用容器。
【発明の詳細な説明】
【技術分野】
【０００１】
この発明は、焼却炉や燃焼装置内で燃焼される焼却燃焼用容器に関する。
【背景技術】
【０００２】
焼却炉や燃焼装置については、従来から種々の形態があり、様々な提案がなされている。例えば、本出願の発明者によれば、先に、家庭のゴミや刈草等の焼却に用いて好適な焼却炉（特許文献１参照）や、種々雑多な燃料を燃焼させることができる燃焼装置（特許文献２参照）を提案してある。さらに、本出願の発明者は、上記の燃焼装置の改良発明として、二次燃焼室を構成する壁の排気口より下方側の壁に乾燥木投入口を設けた無煙燃焼装置（特許文献３参照）や、複数の燃焼促進板を設けた燃焼装置（特願２０１０−１７９２１１）を提案してある。
【０００３】
しかし、水分が多いものなどの燃えにくい被燃焼物を収容して適切に燃やすための焼却燃焼用容器は、適切なものが提案されていない。
一方、山小屋のトイレのほとんどが、し尿垂れ流しの地下浸透方式となっている。また、低開発国の被災地では、劣悪なトイレ事情になっており、医療廃棄物の処分についても劣悪な状況になっている。
【先行技術文献】
【特許文献】
【０００４】
【特許文献１】特開平０５−１９６２１６号公報（第１頁）
【特許文献２】特許第３０６６０６６号公報（請求項１、第１図）
【特許文献３】特許第４４６５０１３号公報（請求項１、第１図）
【発明の概要】
【発明が解決しようとする課題】
【０００５】
焼却燃焼用容器に関して解決しようとする問題点は、従来、被燃焼物を好適に焼却する焼却炉は提案されているが、水分が多いものなどの燃えにくい被燃焼物を収容して適切に燃やすための焼却燃焼用容器が提案されていないことにある。
そこで、本発明の目的は、簡単・安価な形態で効果的に利用できる焼却燃焼用容器を提供することにある。
【課題を解決するための手段】
【０００６】
本発明は、上記目的を達成するために次の構成を備える。
本発明にかかる焼却燃焼用容器の一形態によれば、焼却炉や燃焼装置内で燃焼される焼却燃焼用容器であって、被燃焼物を収容する凹部を備える容器本体と、前記凹部の全面を密閉しない状態で覆うと共に圧着することで容易には離脱しないように閉塞する蓋とを具備し、前記被燃焼物を焼却するための燃焼時の熱量を有する。
【０００７】
また、本発明にかかる焼却燃焼用容器の一形態によれば、前記蓋が、前記容器本体の凹部の内周縁に内嵌状態で圧着されることを特徴とすることができる。
【発明の効果】
【０００８】
本発明の焼却燃焼用容器によれば、簡単・安価な形態で衛生的に利用できるという特別有利な効果を奏する。
【図面の簡単な説明】
【０００９】
【図１】本発明に係る焼却燃焼用容器の形態例を示す斜視図である。
【発明を実施するための形態】
【００１０】
以下、本発明の焼却燃焼用容器に係る形態例を、添付図面（図１）に基づいて詳細に説明する。この焼却燃焼用容器は、焼却炉や燃焼装置内で燃焼されるものである。
【００１１】
本形態例の焼却燃焼用容器によれば、被燃焼物を収容する凹部１１を備える容器本体１０と、凹部１１の全面を密閉しない状態で覆うと共に圧着することで容易には離脱しないように閉塞する蓋２０とを具備する。そして、この容器本体１０と蓋２０とは、被燃焼物を焼却するための燃焼時の熱量を有する。この焼却燃焼用容器は、間伐材を輪切り状にした木材によって形成されており、燃料として十分な熱量（カロリー）を有する。
【００１２】
また、蓋２０が、容器本体１０の凹部１１の内周縁１１ａに内嵌状態で圧入されることで圧着されるように形成されている。
【００１３】
この焼却燃焼用容器は、丸太、厚板の升、厚い段ボール箱、やしの実、パイナップルの皮などによっても設けることができる。
燃焼時の補助燃料としては、紙ごみ、廃材、枯木や枯草などを用いることができる。
【００１４】
以上の構成を備える木質の焼却燃焼用容器を用いて、トイレの汚物を焼却する方法について、以下に説明する。
先ず、焼却燃焼用容器の蓋２０を外し、便座に置き、凹部１１に汚物が入るように用をたしてから外に出す。次に、蓋２０を載せて木ハンマーで軽くたたき、その蓋２０が圧入状態で凹部１１を覆って閉塞する。なお、小便は入れない。
そして、例えば背景技術に記載した焼却炉や燃焼装置内に入れ続け、半分ぐらいまで溜まったら、薪、竹、廃材、紙ごみを加え、マッチ一本で点火する。前記の焼却炉や燃焼装置を用いれば、煙はほとんど出ないで適切に焼却できる。なお、蓋２０で完全に密閉（シール）をしないように閉塞するため、破裂することがなく、蓋２０が吹き飛ぶことがない。最後は、燃え残りが無く、きれいな白い灰になる。
【００１５】
この焼却燃焼用容器によれば、次のような特長を有する。
蓋２０をするため、不潔感がなく、蝿も悪臭も全く出ない。燃料となる焼却燃焼用容器は木質などの自然再生可能な有機物であり、石油、電気、ガスなどの燃料は不要であり、ＣＯ２の排出量はゼロである。
【００１６】
また、これによれば、山小屋のトイレや、低開発国のトイレや医療廃棄物などの焼却がしにくい被燃焼物を、容易に収納して適切に焼却することができる。使用済の紙おむつ、生ゴミなどについても、小蝿や悪臭を生じさせないように適切に焼却できる。
世界中どこでも使用でき、最低コストで衛生面と環境面の問題点を全てクリアできる。
【００１７】
以上、本発明につき好適な形態例を挙げて種々説明してきたが、本発明はこの形態例に限定されるものではなく、発明の精神を逸脱しない範囲内で多くの改変を施し得るのは勿論のことである。
【符号の説明】
【００１８】
１０  容器本体
１１  凹部
１１ａ  内周縁
２０  蓋
【図１】
2012078067.tif 000003
(57)【要約】【課題】    移動する粉体に光源の光を照射して、透過した光を受光素子で受光することで粉体流量を検出する方法に於いて、光源の光を直接受光する別な受光素子を設けて、その出力から比較器の基準電圧を作ることにより、誤差の発生しにくい粉体流量検出器を提供する。【解決手段】    光源２を設け、光源光を直接受光する第１受光素子７と、移動粉体６を透過した光源光を受光する第２受光素子３とを設け、第１受光素子７の出力を分圧する分圧手段５の出力と第２受光素子３の出力とを比較する比較器４を設けた粉体流量検出器を特徴とする。【選択図】図１
2012078335.tif 000002
【特許請求の範囲】
【請求項１】
光源２を設け、光源光を直接受光する第１受光素子７と、移動粉体６を透過した光源光を受光する第２受光素子３とを設け、第１受光素子７の出力を分圧する分圧手段５の出力と第２受光素子３の出力とを比較する比較器４を設けた粉体流量検出器。
【発明の詳細な説明】
【技術分野】
【０００１】  この発明は、植毛塗装に用いられる粉体塗装機の吐出量制御に必要な粉体流量検出器に関するものである。
【背景技術】
【０００２】  従来の構成を図２に示す。電源１には電池や安定化電源等が使われる。光源２には電球、蛍光灯、ＬＥＤ等が使われる。受光素子３には光ダイオード、光トランジスタ、硫化カドミウム（ＣｄＳ）セル、ソーラーパネル等が使われるが、何れの場合も出力電圧Ｖｓが入射光強度に応じて大きくなる形態で使うものとする。【０００３】電源１の出力Ｖｐによって光源２が駆動され、光源２の発生光は移動する粉体６を透過して受光素子３に到達する。受光素子３の発生電圧Ｖｓは比較器４の例えば負極端子に入力される。一方、電源出力Ｖｐは分圧手段５を介して分圧電圧Ｖｒとされて比較器４の例えば正極端子に入力される。【０００４】  受光素子３の出力Ｖｓは移動粉体６が無いときに最大電圧となり、移動粉体量（時間平均すると流量）が増えるにつれて透過光が減衰して下がることは明らかである。従って、比較器４の状態は例えば以下の３通りに限定される。
Ｖｓ＞Ｖｒのとき比較出力はＬｏ（粉体流量が規定値未満）
Ｖｓ＝Ｖｒのとき比較出力はＨｉ（粉体流量が規定値）
Ｖｓ＜Ｖｒのとき比較出力はＨｉ（粉体流量が規定値より大）
これらから、例えば比較出力がＨｉのときにＬＥＤ等を点灯させることで粉体流量が規定値未満かあるいは以上かを判別させて検出器とすることができる。なお、規定値を決める分圧電圧Ｖｒは次式で定義される。なお、Ｖｐ＞Ｖｓを条件とする。
Ｖｒ＝Ｖｐ×Ｒ１／（Ｒ１＋Ｒ２）                  （１）
【発明の開示】
【発明が解決しようとする課題】
【０００５】  従来方法には次のような欠点があった。
（イ）周囲温度や経年で光源２の発光強度が変化する恐れがあり、それは受光素子３の発生電圧Ｖｓを変化させて流量の検出に誤差を発生させる。特に寿命品である電球を使った場合は顕著である。
（ロ）電源１の出力Ｖｐが変化した場合は光源２の発光強度と分圧電圧Ｖｒが変化する。互いの変化方向は影響を打ち消し合う方向なので好ましいが、その程度を揃えて完全に相殺させるのは難しい。Ｖｒは前記（１）式で決まるが、Ｖｓは光源２を経由するからである。電源１に電池を使用したときに本欠点が顕著である。
本発明は、以上のような欠点を解消するために為されたものである。
【課題を解決するための手段】  光源２を設け、光源光を直接受光する第１受光素子７と、移動粉体６を透過した光源光を受光する第２受光素子３とを設け、第１受光素子７の出力を分圧する分圧手段５の出力と第２受光素子３の出力とを比較する比較器４を設けた粉体流量検出器。
【発明の効果】
【０００７】  （イ）第１受光素子７と第２受光素子３に同じ規格の受光素子を用いることにより、光源２に発光強度の変化が起きた場合は各出力Ｖｕ及びＶｓに同じ割合の変化をもたらすことは明らかである。すなわち、Ｖｓが１／２に変化したときはＶｕも１／２となり、それは前記（２）式を通じてＶｖも１／２となるので、流量の検出においては誤差の原因とならなくなる。従って、光源の種類の選択に制約がなくなり、さらに精度の高い流量の検出を可能にする効果がある。
（ロ）電源１の出力Ｖｐが変化した場合は、明らかに光源２の発光強度が変化するだけであり、それは前記（イ）の課題に帰着することになり、効果は同様である。この効果により、電源１に電池を採用しても良い自由度を得る。
【発明を実施するための最良の形態】
【０００８】  発明の構成を図１に示す。電源１の出力Ｖｐは光源２に供給され、また図示されていないが比較器４にも供給される。第１受光素子７は光源２の発生光を直接受光して、発生した電圧Ｖｕを分圧手段５に出力する。第２受光素子３は移動粉体６を透過した光源光を受光して、発生した電圧Ｖｓを比較器４の例えば負極端子に入力する。分圧手段５は例えば抵抗器Ｒ１とＲ２の直列接続で構成され、その中点から分圧出力Ｖｖを出力し比較器４の例えば正極端子に入力する。分圧出力Ｖｖは以下の式で定義される。なおＶｕ＞Ｖｓを条件とする。
Ｖｖ＝Ｖｕ×Ｒ１／（Ｒ１＋Ｒ２）                  （２）【０００９】  比較器４では以下２通りの判定が為される。
Ｖｓ＞Ｖｖのとき比較出力はＬｏ（粉体流量が規定値未満）
Ｖｓ＝Ｖｖ又はＶｓ＜Ｖｖのとき比較出力はＨｉ（粉体流量が規定値以上）【００１０】  比較出力がＨｉのときに例えばＬＥＤを点灯させれば、粉体流量が規定値付近か目視で判断できる。また、分圧手段５内の抵抗器Ｒ１、Ｒ２の何れかを可変抵抗とすることで、流量規定値を連続可変にすることができる。更に、比較出力を負帰還ループの誤差信号として用いて、大本の粉体送り量を制御すれば、規定値付近で流量が安定化する自動調節制御が実現できる（関連特許  識別番号  ３１００２０３７８）。
【図面の簡単な説明】
【００１１】
【図１】  本発明の構成図である。
【図２】  従来技術の構成図である。
【符号の説明】
【００１２】  １    電源
２    光源
３    第２受光素子（図１）、受光素子（図２）
４    比較器
５    分圧手段
６    移動粉体
７    第１受光素子
【図１】
2012078335.tif 000003
【図２】
2012078335.tif 000004
(57)【要約】【課題】  ドラム演奏に用いるドラムペダルのフットボードは平面であり、足裏の広い面積で接する為、踏み込んだ際の力が分散されてしまう。  また、脚全体の動きが上下の運動に誘導されやすく、継続して演奏していると脚が疲労してしまう。【解決手段】  ドラムペダルのフットボードに突起物を設ける。突起物の働きで、足裏と点で接する為、踏み込み時の力が無駄なく伝わる。  また、突起物の働きで足裏と接触が点となる為、脚全体の動きが制限されずに疲労し難くなる。【選択図】図２
2012078764.tif 000002
【特許請求の範囲】
【請求項１】
滑り止め用の弾性体、突起部、ボルト貫通用の孔部を設けた固定用台座Ａ、及び、滑り止め用の弾性体、ボルト固定用のネジ部を設けた固定用の台座Ｂから構成されるドラムペダル用アタッチメント
【請求項２】
種類の異なるドラムペダルのフットボードに取付出来ることを特徴とする請求項１のドラムペダル用アタッチメント
【発明の詳細な説明】
【技術分野】
【０００１】  本発明は、ドラム用フットペダル、ハイハットペダルに用いて演奏の補助を行うドラムペダル用アタッチメントに関するものである。
【背景技術】
【０００２】  従来のドラム用フットペダル、及び、ハイハットペダルはフットボード（ペダル板）が平面であり、滑り止めの効果を狙った溝が設けられている。
【発明の概要】
【発明が解決しようとする課題】
【０００３】  しかしながら、以上の技術によればフットボードが平面であり、足裏と面で接する為に脚全体の動きが上下方向に誘導され易く、脚全体が上げ下げする運動になる為、疲労し易い。
さらに、フットボードが平面である為に足裏と接する面積が広く、踏み込んだ際の力が分散されてしまい、力が無駄なく伝達されているとは言えない。
そこで、この発明は脚の動きを制限せずに踏み込みの力を無駄なく伝達させるドラムペダル用アタッチメントを提供することを課題とする。
【課題を解決するための手段】
【０００４】  以上の課題を解決するために、第一発明は、ドラムペダルのフットボードに突起を設けて足裏との接触面積を減らし、脚全体の動きを制限せずに力を点で伝えることを特徴とするドラムペダル用アタッチメントである。
また、第二発明は、種類の異なるドラムペダルのフットボードに取付出来ることを特徴とするドラムペダル用アタッチメントである。
【発明の効果】
【０００５】  第一発明、または第二発明によれば、既にあるドラムペダルのフットボードに突起を取付可能となる為、踏み込み時の力の伝達が良くなる。また、脚の動きが制限されないので疲れ難い。
【図面の簡単な説明】
【０００６】
【図１】本発明のドラムペダル用アタッチメントの斜視図
【図２】本発明のドラム用フットペダルでの使用状態を示す斜視図
【図３】本発明のドラム用ハイハットペダルでの使用状態を示す斜視図
【発明を実施するための形態】
【０００７】  本発明の使用状態を図２、及び、図３に示す。
ドラムペダル用アタッチメントの固定用の台座Ａ、及び、固定用の台座Ｂをドラムペダルのフットボードを挟みこむようにして固定用ボルトで固定する。
【符号の説明】
【０００８】１  固定用の台座Ａ
２  固定用の台座Ｂ
３  滑り止め用弾性体
４  突起部
５  孔部
６  ネジ部
７  固定用ボルト
８  ドラム用フットペダル
９  ドラム用ハイハットペダル
【図１】
2012078764.tif 000003
【図２】
2012078764.tif 000004
【図３】
2012078764.tif 000005
(57)【要約】      （修正有）【課題】処理装置の負担を軽減するとともに、位置センサの半故障状態やノイズによる外乱がある場合でも位置センサの故障を検出することができる、信頼性の高いモータ制御装置を提供する。【解決手段】空気調和機の室内機は、台枠２と、塵埃を捕集するフィルタを保持するフィルタ装置１とを備え、台枠２にフィルタ装置１を組み付けた際に、台枠２とフィルタ装置１とが当接する箇所において、台枠２に穴部と、フィルタ装置１に爪部とを設け、穴部に爪部を挿入固定したことにより、台枠２の強度を向上する。【選択図】図１
2012117748.tif 000002
【特許請求の範囲】
【請求項１】
台枠と、塵埃を捕集するフィルタを保持するフィルタ装置とを備え、前記台枠に前記フィルタ装置を組み付けた際に、前記台枠と前記フィルタ装置とが当接する箇所において、前記台枠に穴部と、前記フィルタ装置に爪部とを設け、前記穴部に前記爪部を挿入固定したことを特徴とする空気調和機の室内機。
【請求項２】
前記台枠に前記フィルタ装置を組み付けた後、前記台枠に前記フィルタ装置の両端をネジ固定することを特徴とする請求項１に記載の空気調和機の室内機。
【発明の詳細な説明】
【技術分野】
【０００１】
本発明は、空気調和機の室内機に関する。
【背景技術】
【０００２】
従来、この種の空気調和機は台枠と前面枠とで構成され、前面枠の前側に前面パネルを配置していた（例えば、特許文献１参照）。
【０００３】
そして、台枠の強度を確保するために、肉厚を増加させたり、合成樹脂で構成された台枠の一部に金属製のレールを埋め込んだりしていた。
【先行技術文献】
【特許文献】
【０００４】
【特許文献１】特開２００７−１０１０２９号公報
【発明の概要】
【発明が解決しようとする課題】
【０００５】
しかしながら、前記従来の構成の台枠の強度を向上させるために、強度を向上させたい部分だけの肉厚を増加した場合は、台枠本体を樹脂成形する際に反りが生じたり、冷却時間の確保のための成形時間が長くなったり、また、金属製のレールを埋め込む手段もあるが、樹脂と金属を一体にするため、廃棄後のリサイクル効率が悪化してしまうという課題を有していた。
【０００６】
本発明は、前記従来の課題を解決するもので、台枠本体の肉厚増加や金属部品を使用することなく簡単な構成で台枠の強度を向上させることができる空気調和機の室内機を提供することを目的とする。
【課題を解決するための手段】
【０００７】
前記従来の課題を解決するために、本発明の空気調和機の室内機は、台枠と、塵埃を捕集するフィルタを保持するフィルタ装置とを備え、台枠にフィルタ装置を組み付けた際に、台枠とフィルタ装置とが当接する箇所において、台枠に穴部と、フィルタ装置に爪部とを設け、穴部に爪部を挿入固定したことにより、台枠の強度を向上することができる。
【発明の効果】
【０００８】
本発明は、台枠本体の肉厚増加や金属部品を使用することなく簡単な構成で台枠の強度を向上させることができる空気調和機の室内機を提供することができる。
【図面の簡単な説明】
【０００９】
【図１】本発明の実施の形態１における空気調和機の室内機の要部分解斜視図
【図２】同実施の形態１における室内機の要部分解斜視図
【図３】（ａ）同実施の形態１における要部拡大図（ｂ）同実施の形態１における要部拡大図
【発明を実施するための形態】
【００１０】
第１の発明の空気調和機の室内機は、台枠と、塵埃を捕集するフィルタを保持するフィルタ装置とを備え、台枠にフィルタ装置を組み付けた際に、台枠とフィルタ装置とが当接する箇所において、台枠に穴部と、フィルタ装置に爪部とを設け、穴部に爪部を挿入固定したことにより、台枠の強度を向上することができる。
【００１１】
第２の発明の空気調和機の室内機は、特に第１の発明において、台枠にフィルタ装置を組み付けた後、台枠にフィルタ装置の両端をネジ固定することにより、強度をさらに向上させることができる。
【００１２】
以下、本発明の実施の形態について、図面を参照しながら説明する。なお、この実施の形態によって本発明が限定されるものではない。
【００１３】
（実施の形態１）
図１は、本発明の実施の形態１における空気調和機の室内機の要部斜視図である。図１に示すように、本実施の形態の室内機は、台枠２と、フィルタを保持するフィルタ装置１とを備えている。なお、図１には示していないが、フィルタ装置１よりも前方側より覆う前面枠を有している。
【００１４】
図２は、本発明の実施の形態１における空気調和機の室内機の要部分解斜視図である。図２に示すように、台枠２とフィルタ装置１との間には送風ファン５を有しており、送風ファンが駆動することによって、フィルタ装置１を通して内部に空気を吸い込み、熱交換した空気を室内に送風する構成となっている。
【００１５】
次に、フィルタ装置１と台枠２とが当接する部分について説明する。図３はＡ部の部分拡大図である。図３（ａ）に示すように、フィルタ装置１には略Ｌ字形状の爪部３が設けられており、台枠２には略長方形状の穴部４が設けられている。
【００１６】
そして、台枠２にフィルタ装置１を取り付ける際には、一旦、穴部４に爪部３を挿入した後、スライドさせることによって、図３（ｂ）に示すように、穴部４へ爪部３を挿入固定している。このように固定することで、台枠２の肉厚を増加させることなく、フィルタ装置１が強固に台枠２へ固定するため、台枠２自体の強度を向上させることができる。
【００１７】
また、フィルタ装置１の両端部を台枠２へネジ固定する。それによってさらに本体の強度を向上させることができる。
【産業上の利用可能性】
【００１８】
なお、本発明は上述した実施例に限定されず、本発明の要旨を逸脱しない範囲で種々変形可能である。
【符号の説明】
【００１９】
１  フィルタ装置
２  台枠
３  爪部
４  穴部
【図１】
2012117748.tif 000003
【図２】
2012117748.tif 000004
【図３】
2012117748.tif 000005
(57)【要約】【課題】エンジン構造は従来構造のままで簡単な装置を付設するだけで大幅な燃料節減効果のあるシステムを提供する【解決手段】ディーゼルエンジン及び発電装置において燃焼室内に水を電気分解することにより発生する水素と酸素の混合ガスを注入可能な混合ガス発生装置を取付け、燃料タンクから燃焼室内に燃料が行く手前で燃料に対し磁界を作用させるような燃料改質装置を取付ける【特許請求の範囲】
【請求項１】
ディーゼルエンジン及び発電装置において燃焼する燃料を節減するシステムであって燃焼室内に水を電気分解することにより発生する水素と酸素の混合ガスを注入可能な混合ガス発生装置と、前記混合ガス発生装置において水が電気分解しやすくなるように水のイオン化を促進する注水式の水改質サブタンク、燃料タンクから燃焼室内に燃料が行く手前で複数の永久磁石がパイプ状に積層しておりその中を通過する燃料に対し磁界を作用させるような燃料改質装置、を含んで構成されるディーゼルエンジン及び発電装置における燃料節減システム。
【請求項２】
前記混合ガス発生装置用電極はイリジウム、チタンを含む耐腐食性金属材料で形成したことを特徴とする電極を用いた燃料節減システム。
【請求項３】
前記混合ガス発生装置の電流制御はパルス電流を流すことにより、電気分解における放熱が極端に少なくできるため、冷却ファンを必要としない特徴を持つ制御装置を用いた燃料節減システム。
【請求項４】
前記混合ガス発生装置の電解槽は環境問題や廃棄問題を抱えるＦＲＰに代わるＭＣ樹脂を用いた燃料節減システム。
【請求項５】
前記水改質サブタンクはタンク内の水中に基体の表面にトルマリン、黒曜石、酸化マグネシウム、ブラックシリカのいずれか、または複合させた微粉末を吹付けたものを入れることで水のイオン化を促進し電気分解させやすくすることを特徴とする燃料節減システム。
【請求項６】
前記混合ガス発生装置の電流制御装置は海上で交信するために用いる無線通信機に入るノイズを低減させるよう構成された制御装置を用いた燃料節減システム。
【請求項７】
前記混合ガス発生装置は電気分解を続けて電解槽に水が不足しいわゆる空焚きのような状態にならないよう、電解槽内の水位を一定レベルで保つことができる構造をもつか、あるいは電解槽内の水位をセンサで検知しモニタで確認できるような構造を持つことを特徴とする燃料節減システム。
【発明の詳細な説明】
【技術分野】
【０００１】  本発明はディーゼルエンジン及び発電装置における燃焼する燃料の量を節減するための装置に関し、吸気する気体により燃焼を促進する装置と燃料を燃焼しやすく改質する装置に関する。
【背景技術】
【０００２】  現在ディーゼルエンジンは世界的に普及しており、発電所や船舶並びに車両等さまざまな分野で活躍しているが、石油資源の将来的な枯渇が危惧され使用する燃料の節減や代替燃料の開発などが世界中で研究されている。またその排出ガスは地球環境に対し悪い影響を与えるため、排出量を規制したり削減したりとさまざまな対応がとられている。
【発明の概要】
【発明が解決しようとする課題】
【０００３】  本発明の目的は、エンジン構造は従来構造のままで簡単な装置を付設するだけで大幅な燃料節減効果のあるシステムを提供することにある。
【課題を解決するための手段】
【０００４】  上記目的を達成する本発明は、ディーゼルエンジン及び発電装置において燃焼室内に水を電気分解することにより発生する水素と酸素の混合ガスを注入可能な混合ガス発生装置を取付け、燃料タンクから燃焼室内に燃料が行く手前で燃料に対し磁界を作用させるような燃料改質装置を取付けることにより達成される。
【発明の効果】
【０００５】  上述したように、本発明は既存のディーゼルエンジンをそのまま使用することができ、燃焼室内への吸気に対し水素と酸素の混合ガスを注入することにより燃焼の促進となる。また燃料が完全燃焼することによりエンジン内に付着したカーボンを除去すること、並びにその付着を予防することができる。【０００６】  さらに、燃料が燃料タンクから燃焼室内に噴射される手前で燃料が燃焼しやすいように改質することにより、改質していない燃料に比べ少量で同等の出力を得ることができる。このシステムにより約５０％の燃料の節減と排出ガスの削減及び燃料の完全燃焼による窒素酸化物などの排出を低減させることにもなる。
(57)【要約】【課題】従来の液化ガスボンベを装備したガスエンジンでは、ガスボンベの自冷対策としてボンベ本体を直接加熱する方法があるが、エンジンの排気ガスの熱やエンジン本体の燃焼熱などで加熱すると、ボンベ本体が急激に温度上昇し、ボンベが破裂する危険がある。またボンベの温度を調節するために温度センサーを用いる方法もあるが、センサーが高価であるため、ガスエンジン全体のコストが上がってしまうという問題があった。【解決手段】ガスボンベ周辺に熱容器を配置し、エンジンから出るブリーザーガスを利用して熱容器を暖め、この熱容器を通してガスボンベを加熱することにより、穏やかにボンベを暖めることが可能であり、ボンベ破裂の危険性がなく、また温度センサーを装備する必要がない。【選択図】図２
2012117505.tif 000002
【特許請求の範囲】
【請求項１】
ガスボンベ周囲にエンジンオイルを入れた熱容器を配置する。
【請求項２】
オイルを入れた熱容器をエンジンのブリーザーガスで暖め、その熱によりガスボンベを暖める。
【発明の詳細な説明】
【技術分野】
【０００１】  本発明は液化燃料ガスが入ったガスボンベを燃料として使用する内燃機関装置に関するものである。
【背景技術】
【０００２】  ガスボンベを燃料として使用する内燃機関装置には、発電機、刈払機、耕運機など色々存在する。しかし、ガスボンベの弱点として、環境温度が低い場合、ガス消費に伴う気化熱により自冷してしまい、気化が不十分となる。そのためにエンジンへの燃料が円滑に供給されなくなるという問題点がある。【０００３】  現在、この問題を解決するために、エンジンの排熱や電気ヒーターなどを利用して、ガスボンベ本体を直接加熱する方法が知られている。【０００４】  また、直接加熱されているガスボンベの過度の温度上昇を防ぐために、例えば実開昭６２−１５０５７０号公報「ガスエンジンの液化燃料ガスの気化促進装置」、特開平１０−１３１８０９号公報「ガスエンジン及びガスエンジン作業機」のようにガスボンベ周辺に温度センサーを設置し、温度調節する方法も知られている。
【発明の概要】
【発明が解決しようとする課題】
【０００５】  エンジンの排気ガスの熱やエンジンの燃焼熱などでガスボンベを直接加熱すると、ボンベ本体の過度の温度上昇により、ボンベの破裂を起こす危険性がある。【０００６】  過度の温度上昇を防ぐための温度センサーは高価である。【０００７】  本発明の目的は、液化燃料ガス入りのガスボンベを直接加熱せずに、安全かつ安価にエンジンへ円滑に燃料を供給できるガスエンジン構造を提供することである。
【課題を解決するための手段】
【０００８】  ガスを燃料とするエンジンの上部に区分して備えられたガスボンベ収容室の中に、熱容器をガスボンベの下部に配置する。また、熱容器にはエンジンオイルを注入する。【０００９】  エンジンから、運転により発生するブリーザーガスを取り出し、このガスを熱容器に導き、熱容器内部のエンジンオイルを暖める。【００１０】  上記の構造により、ガスボンベ本体を直接加熱するのではなく、ブリーザーガスによって暖められた熱容器を通してガスボンベを加熱する。
【発明の効果】
【００１１】  本発明により、ガスボンベ本体を直接加熱せずに、熱容器を通してボンベを加熱するために、ボンベを穏やかに加熱することが可能であり、破裂の危険性は無くなる。
また、温度センサーを設置する必要がないので安価にガスエンジンを生産可能である。
【図面の簡単な説明】
【００１２】
【図１】  ガスエンジン正面図
【図２】  ガスエンジン側面図
【発明を実施するための形態】
【００１３】  本発明の実施の形態を図１〜図２に基づき説明する。図１は本発明に係わるガスエンジン正面図であり、ガスエンジン機本体１は、エンジン２とその上部に設けられたガスボンベ収容室３からなり、ガスボンベ４に入れられている液化ガスを燃料として運転させる内燃機関装置である。
【００１４】  図２はガスエンジン側面図を示す。エンジン２上部のシリンダーヘッド８にエンジン運転により発生するブリーザーガスを取り出す取り出し口９を設ける。また、ガスボンベ収容室３内のガスボンベ４の下部に熱容器５を配置する。熱容器５には図２に示すように、伝熱用の銅管６を内蔵させる。さらに熱容器５上部に設けたオイル注入口７よりエンジンオイルを注入する。
【００１５】  熱容器５に配管入口１０を設け、配管入口１０とブリーザーガス取り出し口９を吸気用ゴム管１１で接続し、暖かいブリーザーガス１４を熱容器５に導き、伝熱用銅管６を通して熱容器５内のエンジンオイルを暖める。また熱容器５に配管出口１２も設け、配管出口１２とエアークリーナー１６を排気用ゴム管１３で接続し、冷えたブリーザーガス１５をエアークリーナー１６に導く。
【符号の説明】
【００１６】  １  ガスエンジン機本体
２  エンジン
３  ガスボンベ収容室
４  ガスボンベ
５  熱容器
６  伝熱用銅管
７  オイル注入口
８  シリンダーヘッド
９  ブリーザーガス取り出し口
１０  配管入口
１１  吸気用ゴム管
１２  配管出口
１３  排気用ゴム管
１４  暖かいブリーザーガス
１５  冷えたブリーザーガス
１６  エアークリーナー
【図１】
2012117505.tif 000003
【図２】
2012117505.tif 000004